(57)【要約】【課題】同一内容の番組が弱階層と強階層とで同時伝送される場合において、弱階層により伝送される放送を走行中でも可能な限り受信し、且つ頻繁な階層切り替えを低減することにより、視聴者にとって安定して見やすい映像信号を出力する車載用地上デジタル放送受信装置を提供する。【解決手段】弱階層と強階層のデジタル放送信号を受信し、階層を分離した後、それぞれデコードし、これら弱階層の映像信号及び強階層の映像信号のいずれか一方の映像信号を切替部で選択して映像表示部に供給する車載用地上デジタル放送受信装置において、信号品質値と閾値とを予め定められた一定時間毎に比較し、制御部が、信号品質値と閾値との比較により、所定の条件で、弱階層の映像信号を選択している場合には強階層の映像信号に切り替え、強階層の映像信号を選択している場合には、弱階層の映像信号の選択に切り替える。【選択図】図１
2008042229.tif 000002
【特許請求の範囲】
【請求項１】
階層伝送された地上デジタル放送を、自動的に階層を切り替えて受信する車載用デジタル放送受信装置であって、
放送電波から所望のチャンネルのデジタル放送信号を選局する選局手段と、
該選局手段によって選局された該デジタル放送信号に対して復調処理及び誤り訂正処理を施し、且つ該デジタル放送信号の信号品質を検出する伝送路復調手段と、
該伝送路復調手段により復調処理及び誤り訂正処理されたトランスポートストリーム信号を弱階層のトランスポートストリーム信号と強階層のトランスポートストリーム信号のうち、少なくとも一つのトランスポートストリーム信号に多重分離する多重分離手段と、
該多重分離手段により多重分離された弱階層の該トランスポートストリーム信号を弱階層の映像信号に復号する弱階層デコード手段と、
該多重分離手段により多重分離された強階層の該トランスポートストリーム信号を強階層の映像信号に復号する強階層デコード手段と、
該弱階層デコード手段により復号された該弱階層の映像信号と該強階層デコード手段により復号された該強階層の映像信号のうち、少なくとも一方の階層の映像信号を選択する切替手段と、
該伝送路復調手段により検出された該信号品質値に応じて該切替手段の切替動作を制御する制御手段と
を備え、
該制御手段は、
該信号品質値に応じて該切替手段を制御して、前記選択された一方の階層の映像信号の切り替えを行うための閾値を
備えていることを特徴とする車載用デジタル放送受信装置。
【請求項２】
請求項１に記載の車載用デジタル放送受信装置において、
前記制御手段は、
前記伝送路復調手段により検出された前記信号品質値と予め定められた前記閾値とを一定時間毎に比較し、
前記切替手段が前記弱階層の映像信号を選択している場合は、
連続する少なくとも一つの前記信号品質値のうち、前記閾値よりも小さな前記信号品質値の個数が予め定められた第１の設定数以上となった時に、前記強階層の映像信号を選択するよう前記切替手段を制御し、
前記切替手段が前記強階層の映像信号を選択している場合は、
連続する少なくとも一つの前記信号品質値のうち、前記閾値よりも大きな前記信号品質値の個数が予め定められた第２の設定数以上となった時に、前記弱階層の映像信号を選択するよう前記切替手段を制御することを特徴とする車載用デジタル放送受信装置。
【請求項３】
請求項２に記載の車載用デジタル放送受信装置において、
前記制御手段は、
前記伝送路復調手段で検出された前記信号品質値と第１の閾値及び第１の閾値より小さな閾値である第２の閾値とを一定時間毎に比較し、
前記切替手段が前記弱階層の映像信号を選択している場合は、
連続する少なくとも一つの前記信号品質値のうち、該第２の閾値よりも小さな前記信号品質値の個数が予め定められた第１の設定数以上となった時に、前記強階層の映像信号を選択するよう前記切替手段を制御し、
前記切替手段が前記強階層の映像信号を選択している場合は、
連続する少なくとも一つの前記信号品質値のうち、該第１の閾値よりも大きな前記信号品質値の個数が予め定められた第２の設定数以上となった時に、前記弱階層の映像信号を選択するよう前記切替手段を制御することを特徴とする車載用デジタル放送受信装置。
【請求項４】
請求項１ないし請求項３のいずれかに記載の車載用デジタル放送受信装置において、
弱階層と強階層のうち優先的に受信する階層を設定可能な受信モード選択手段を備え、
前記制御手段は、
該受信モード選択手段で指定された受信モードに応じて、前記閾値を予め定められた値に設定することを特徴とする車載用デジタル放送受信装置。
【請求項５】
請求項１ないし請求項４のいずれかに記載の車載用デジタル放送受信装置において、
移動体の走行速度を検出し、走行速度情報を出力する速度検出手段、または、
移動体の走行位置を検出し、走行位置情報を出力する位置検出手段を備え、
前記制御手段は、
該速度検出手段で設定された走行速度情報、または、該位置検出手段で設定された走行位置情報に応じて、前記閾値、或いは前記信号品質値と前記閾値とを比較する時間間隔、或いは切り替えを判定するための前記信号品質値の個数のうち、少なくとも１つ以上の値を予め定められた値に設定することを特徴とする車載用デジタル放送受信装置。
【発明の詳細な説明】
【技術分野】
【０００１】
本発明は地上デジタル放送、特に、弱階層と強階層を利用した階層伝送により、同一内容の番組が同時に伝送されている地上デジタル放送を受信する車載用デジタル放送受信装置に関する。
【背景技術】
【０００２】
地上デジタル放送では、比較的高画質な映像信号を含む階層と比較的低画質な映像信号を含む階層が多重化されて伝送される階層伝送が可能である（非特許文献１参照）。ここで、比較的高画質な映像信号を含む階層では高い伝送レートを必要とするため、多値ＱＡＭ（Quadrature  Amplitude  Modulation）などの変調方式を使用しており、伝送路における妨害に比較的弱いという特徴がある。これに対し、比較的低画質な映像信号を含む階層では、低い伝送レートで伝送できるため、ＱＰＳＫ（Quadrature  Phase  Shift  Keying）などの変調方式を使用しており、伝送路における妨害に比較的強いという特徴がある。地上デジタル放送では、前者を弱階層、後者を強階層と呼ぶ。
【０００３】
この階層伝送を利用して、家庭などで視聴される固定受信機向け放送を弱階層により伝送し、携帯電話などの携帯受信機向け放送を強階層により伝送する放送が実施されている。この放送では、弱階層により伝送される固定受信機向け放送と強階層により伝送される携帯受信機向け放送は、同一内容の番組を放送するサイマル放送である。
【０００４】
ところで、地上デジタル放送を自動車などの移動体に搭載された車載用デジタル放送受信装置で受信する場合、この移動体が通過する周囲の環境変化により、放送電波の受信状態は時々刻々と変動する。この車載用デジタル放送受信装置において階層伝送に対応した受信装置では、受信状態に応じて弱階層により伝送される放送と強階層により伝送される放送とを切り替えて受信し、受信状態が良好なときには弱階層で伝送される放送を、受信状態が劣悪なときには強階層で伝送される放送を受信する。
【０００５】
このような受信階層の切替方法として、例えば、受信した地上デジタル放送信号のＳ／Ｎ比を参照し、受信品質が良好なときには弱階層で伝送される放送を選択し、受信品質が劣悪なときには強階層で伝送される放送を選択するようにし、且つ、切り替えを判定するためのＳ／Ｎ比の閾値にヒステリシスを設け、さらに、強階層で伝送される放送を選択した状態から弱階層で伝送される放送に切り替える際に、Ｓ／Ｎ比が閾値より小さい場合であっても、Ｓ／Ｎ比の移動平均値が上昇していれば、弱階層で伝送される放送へ切り替える受信装置が提案されている（特許文献１参照）。
【特許文献１】特開２００５−２２３５４９号公報
【非特許文献１】「地上デジタル放送運用規定  ＡＲＩＢ  ＴＲ−Ｂ１４    １．６版」，社団法人電波産業会，平成１６年２月５日  策定
【発明の開示】
【発明が解決しようとする課題】
【０００６】
地上デジタル放送を自動車などの移動体に搭載された車載用デジタル放送受信装置で受信する場合、受信状態は激しく変動する。前述した階層切替方法では、受信した地上デジタル放送信号のＳ／Ｎ比がヒステリシスを持たせた２つの閾値の幅を超えて激しく変動する場合は、頻繁な階層切り替えが発生するという問題点がある。
【０００７】
本発明は、上記問題点を鑑みて考案されたものであり、その目的は、階層伝送により同一内容の番組が弱階層により伝送される放送と強階層により伝送される放送とで同時伝送される場合において、弱階層により伝送される放送を走行中でも可能な限り受信し、且つ頻繁な階層切り替えを低減することにより、視聴者にとって安定して見やすい番組を出力する車載用地上デジタル放送受信装置を提供することにある。
【課題を解決するための手段】
【０００８】
上記目的を達成するために、本発明の階層伝送された地上デジタル放送を、自動的に階層を切り替えて受信する車載用デジタル放送受信装置は、放送電波から所望のチャンネルのデジタル放送信号を選局する選局手段と、該選局手段によって選局された該デジタル放送信号に対して復調処理及び誤り訂正処理を施し、且つ該デジタル放送信号の信号品質を検出する伝送路復調手段と、該伝送路復調手段により復調処理及び誤り訂正処理されたトランスポートストリーム信号を弱階層のトランスポートストリーム信号と強階層のトランスポートストリーム信号のうち、少なくとも一つのトランスポートストリーム信号に多重分離する多重分離手段と、該多重分離手段により多重分離された弱階層の該トランスポートストリーム信号を弱階層の映像信号に復号する弱階層デコード手段と、該多重分離手段により多重分離された強階層の該トランスポートストリーム信号を強階層の映像信号に復号する強階層デコード手段と、該弱階層デコード手段により復号された該弱階層の映像信号と該強階層デコード手段により復号された該強階層の映像信号のうち、少なくとも一方の階層の映像信号を選択する切替手段と、該伝送路復調手段により検出された該信号品質値に応じて該切替手段の切替動作を制御する制御手段とを備え、該制御手段は、該信号品質値に応じて、該切替手段を制御して選択された階層の映像信号の切り替えを制御するための閾値を備えていることを特徴とする。
【発明の効果】
【０００９】
本発明によれば、階層伝送により同一内容の番組が弱階層により伝送される放送と強階層により伝送される放送とで同時伝送される場合において、弱階層により伝送される放送を走行中でも可能な限り受信し、且つ頻繁な階層切り替えを低減することにより、視聴者にとって安定して見やすい映像信号を出力する車載用地上デジタル放送受信装置を提供することができる。
【発明を実施するための最良の形態】
【００１０】
以下、図面を用いて本発明の実施の形態を説明する。
【実施例１】
【００１１】
図１は本発明の実施例１の車載用デジタル放送受信装置を示すブロック図であって、１はアンテナ部、２は選局部、３は伝送路復調部、４は多重分離部、５は弱階層デコード部、６は強階層デコード部、７は切替部、８は映像表示部、９は信号品質値、１０は制御部、１１は切替信号である。
【００１２】
図１において、アンテナ部１は放送電波を受信し、選局部２に供給する。選局部２は供給された放送電波から所望のチャンネルのデジタル放送信号を選局し、伝送路復調部３に供給する。伝送路復調部３は、供給されたデジタル放送信号に対して復調及び誤り訂正処理を施し、トランスポートストリーム（Transport  Stream、以下、ＴＳという）信号として多重分離部４に供給するとともに、このデジタル放送信号の信号品質に関する値（以下、信号品質値という）９を検出し、制御部１０に供給する。
【００１３】
この信号品質値９は、受信したデジタル放送信号との同期状態や搬送波電力対雑音電力比（ＣＮＲ（Carrier  to  Noise  Ratio））、誤り訂正処理でのビット誤り率、ＡＧＣ制御電圧、変調誤差比（ＭＥＲ（Modulation  Error  Ratio））などから算出される値を想定している。ここでは、信号品質値９が大きい場合には受信状態が良好であるものとし、信号品質値９が小さい場合には受信状態が劣悪であるものとする。
【００１４】
多重分離部４は、伝送路復調部３から供給されるＴＳ信号を弱階層のＴＳ信号と強階層のＴＳ信号とに分離する。分離された弱階層のＴＳ信号は弱階層デコード部５に供給され、弱階層の映像信号にデコードされる。一方、分離された強階層のＴＳ信号は強階層デコード部６に供給され、強階層の映像信号にデコードされる。続いて、弱階層の映像信号と強階層の映像信号は切替部７に供給され、いずれか一方の映像信号が選択されて映像表示部８に供給される。切替部７における映像信号の選択は、制御部１０により制御される。制御部１０は、伝送路復調部３から供給される信号品質値９に基づき選択すべき受信階層を一定時間毎に判定し、この判定結果に応じた切替信号１１により切替部７を制御する。
【００１５】
ここで、弱階層及び強階層は地上デジタル放送運用規定（ＡＲＩＢ  ＴＲ−Ｂ１４）に規定されており、比較的高画質な映像信号を伝送可能であるが、伝送路における妨害に比較的弱い階層を弱階層といい、比較的低画質な映像信号を伝送可能であるが、伝送路における妨害に比較的強い階層を強階層という。ここでは、弱階層と強階層で同一内容の番組が放送されているものとする。
【００１６】
図２は、図１における制御部１０の一具体例の要部を示すブロック図であって、１０１は比較部、１０２は閾値設定部、１０３は切替判定部、１０４は閾値、１０５は比較信号である。図２において、閾値設定部１０２は、予め定められた閾値１０４を比較部１０１に供給する。比較部１０１は、信号品質値９と閾値１０４とを予め定められた一定時間毎に比較し、その比較結果に応じた比較信号１０５を切替判定部１０３に供給する。切替判定部１０３は、供給された比較信号１０５に基づき切替信号１１を制御する。
【００１７】
図３は、図２における制御部１０の切替信号１１の生成処理を示すタイミング図であって、２００は伝送路復調部３から供給される信号品質値９の時間変化と、閾値設定部１０２から供給される閾値１０４を示し、２０１は切替判定部１０３による切替信号１１の切替タイミングを示している。切替タイミング２０１において切替信号１１がＨｉｇｈレベル（以下、“Ｈ”レベルとする）の時、弱階層の映像信号を選択するよう切替部７を制御し、Ｌｏｗレベル（以下、“Ｌ”レベルとする）の時、強階層の映像信号を選択するよう切替部７を制御することを示している。
【００１８】
以下、図３を用いて、本発明の実施例１の動作を説明する。切替部７において弱階層の映像信号が選択されている場合、即ち、切替信号１１が“Ｈ”レベルである場合は、連続した５個（以下、Ｍ個という）の信号品質値９のうち、閾値１０４よりも小さい信号品質値９が３個（以下、ｍ個という）以上となった時点で、切替信号１１を“Ｌ”レベルとし、切替部７において強階層の映像信号を選択させる。図３の例では、時刻「ｔ９」から「ｔ１３」で取得した５個の信号品質値のうち３個が閾値１０４より小さいので、時刻「ｔ１３」で切替信号１１を“Ｌ”レベルとし、切替部７において強階層の映像信号を選択させる。
【００１９】
また、切替部７において強階層の映像信号が選択されている場合、即ち、切替信号１１が“Ｌ”レベルである場合は、連続した７個（以下、Ｎ個という）の信号品質値９のうち、閾値１０４よりも大きい信号品質値９が５個（以下、ｎ個という）以上となった時点で、切替信号１１を“Ｈ”レベルとし、切替部７において弱階層の映像信号を選択させる。図３の例では、時刻「ｔ１８」から「ｔ２４」で取得した７個の信号品質値のうち５個が閾値１０４より大きいので、時刻「ｔ２４」で切替信号１１を“Ｈ”レベルとし、切替部７において弱階層の映像信号を選択させる。なお、かかる数値は一例として示すものであって、本発明がかかる数値例によって限定されるものではない。
【００２０】
以上のように、本発明の実施例１では、連続した信号品質値９を複数個用いて受信階層の切り替えを判定するため、突出して劣悪な信号品質値９や、逆に突出して良好な信号品質値９が取得されたとしても、これにより即座に受信階層の切り替えが発生することはなく、従って受信階層の頻繁な切り替えを低減することが可能である。また、弱階層の映像信号にブロックノイズなどの信号劣化が目立つことなく即座に強階層の映像信号に切り替えたい場合は、Ｍの個数又はｍの個数を小さくすれば良い。更に、強階層の映像信号から弱階層の映像信号への切り替えは、弱階層の映像信号が安定して受信できることを確認した後に切り替えたい場合は、Ｎの個数又はｎの個数を大きくすれば良く、且つ、Ｎ＝ｎとしても良い。
【００２１】
弱階層の映像信号を優先的に受信したい場合は、Ｍ又はｍの個数を大きくし且つＮ又はｎの個数は小さくすれば良い。逆に、強階層の映像信号を優先的に受信したい場合は、Ｍ又はｍの個数を小さくし且つＮ又はｎの個数は大きくすれば良い。
【実施例２】
【００２２】
図４は、本発明の実施例２の車載用デジタル放送受信装置の制御部１０の切替信号１１の生成処理を示すタイミング図である。なお、この実施例２も、全体構成は図１及び図２に示す構成と同様である。図４は、図２における制御部１０の切替信号１１の生成処理を示すタイミング図であって、３００は伝送路復調部３から供給される信号品質値９の時間変化と、閾値設定部１０２から供給される第１閾値１０６及び第２閾値１０７、３０１は切替判定部１０３による切替信号１１の切替タイミングを示している。ここで、第１閾値１０６は、第２閾値１０７よりも大きい値であるものとする。切替タイミング３０１において切替信号１１が“Ｈ”レベルの時、弱階層の映像信号を選択するよう切替部７を制御し、切替信号１１が“Ｌ”レベルの時、強階層の映像信号を選択するよう切替部７を制御することを示している。
【００２３】
以下、図４を用いて、本発明の実施例２の動作を説明する。切替部７において弱階層の映像信号が選択されている場合、即ち、切替信号１１が“Ｈ”レベルである場合は、連続した５個（Ｍ個）の信号品質値９のうち、第２閾値１０７よりも小さい信号品質値９が３個（ｍ個）以上となった時点で、切替信号１１を“Ｌ”レベルとし、切替部７において強階層の映像信号を選択させる。図４の例では、時刻「ｔ９」から「ｔ１３」で取得した５個の信号品質値のうち３個が第２閾値１０７より小さいので、時刻「ｔ１３」で切替信号１１を“Ｌ”レベルとし、切替部７において強階層の映像信号を選択させる。
【００２４】
また、切替部７において強階層の映像信号が選択されている場合、即ち、切替信号１１が“Ｌ”レベルである場合は、連続した７個（Ｎ個）の信号品質値９のうち、第１閾値１０６よりも大きい信号品質値９が５個（ｎ個）以上となった時点で、切替信号１１を“Ｈ”レベルとし、切替部７において弱階層の映像信号を選択させる。
【００２５】
図４の例では、時刻「ｔ１８」から「ｔ２４」で取得した７個の信号品質値のうち５個が第１閾値１０６より大きいので、時刻「ｔ２４」で切替信号１１を“Ｈ”レベルとし、切替部７において弱階層の映像信号を選択させる。なお、かかる数値は一例として示すものであって、本発明がかかる数値例によって限定されるものではない。
【００２６】
以上のように、本発明の実施例２では、第１閾値１０６及び第２閾値１０７によるヒステリシスを持たせた階層切り替えを行うものであり、従って、１つの閾値１０４を用いた階層切り替えを行う場合に比べ、より受信階層の頻繁な切り替えを低減することが可能となる。
【実施例３】
【００２７】
図５は、本発明の実施例３の車載用デジタル放送受信装置の制御部１０の一具体例を示すブロック図であって、１０８は受信モード選択部、１０９は受信モード情報であり、前出図面に対応する部分には同一符号をつけて重複する説明を省略する。
【００２８】
図５において、この実施例３は、図１に示す構成に受信モード選択部１０８が付加されたものである。受信モード選択部１０８は、図示しない操作部でのユーザの操作により、弱階層優先受信モード、強階層優先受信モード及び階層適応受信モードを選択することができるようにしたものであり、選択された受信モード情報１０９を閾値設定部１０２又は切替判定部１０３のうち少なくとも１箇所以上に供給する。
【００２９】
閾値設定部１０２では、供給された受信モード情報１０９に応じた閾値１０４が設定される。受信モード情報１０９が弱階層優先受信モードを示している場合は、閾値１０４を予め定められた設定範囲の最小値に設定する。受信モード情報１０９が階層適応受信モードを示している場合は、閾値１０４を弱階層優先受信モードに比べて大きい値を設定する。また、受信モード情報１０９が強階層優先受信モードを示している場合は、閾値１０４を予め定められた設定範囲の最大値に設定する。また、上記閾値１０４の設定を図４に示した実施例２に適用し、受信モード情報１０９に応じて、第１閾値１０６と第２閾値１０７が設定されるようにしても良い。
【００３０】
切替判定部１０３では、供給された受信モード情報１０９に応じて、切替判定に用いる信号品質値９の個数Ｍ，ｍ，Ｎ，ｎを設定する。受信モード情報１０９が弱階層優先受信モードを示している場合は、Ｍ或いはｍの個数を予め定められた設定範囲の最大値、Ｎ或いはｎの個数を予め定められた設定範囲の最小値に設定する。また、受信モード情報１０９が階層適応受信モードを示している場合は、Ｍ或いはｍの個数を弱階層優先受信モードにあるときに比べて小さい値、Ｎ或いはｎの個数を弱階層優先受信モードにあるときに比べて大きい値に設定する。また、受信モード情報１０９が強階層優先受信モードを示している場合は、Ｍ或いはｍの個数を予め定められた設定範囲の最小値、Ｎ或いはｎを予め定められた設定範囲の最大値に設定する。
【００３１】
以上のように構成することにより、本発明の実施例３では、弱階層優先受信モードを選択することにより、受信状態が劣化しても弱階層の映像信号を継続受信することが可能となり、強階層優先受信モードを選択することにより、安定且つ確実に強階層の映像信号を受信することが可能となる。更に、階層適応受信モードを選択することにより、弱階層の映像信号と強階層の映像信号とを受信状態の変動に応じて適応的に切り替えて受信することが可能となる。
【００３２】
なお、ここでは、受信モード情報１０９の選択枠を弱階層優先受信モード、強階層優先受信モード及び階層適応受信モードの３状態を設定し、それぞれの受信モード毎に異なる設定値を設ける場合について説明したが、これのみに限るものではなく、設定する受信モード情報１０９を２つの状態としても良いし、また４つ以上の状態としても良い。
【実施例４】
【００３３】
図６は、本発明の実施例４の車載用デジタル放送受信装置の制御部１０の一具体例を示すブロック図であって、全体構成は実施例３の構成と同様である。図６において、受信モード選択部１０８は、図示しない操作部でのユーザの操作により、高速切替モード、低速切替モード及び適応切替モードを選択することができるようにしたものであり、選択された受信モード情報１０９を切替部１０１に供給する。
【００３４】
切替部１０１では、供給された受信モード情報１０９に応じた信号品質値９と閾値１０４との比較を行う時間間隔が設定される。受信モード情報１０９が高速切替モードを示している場合は、時間間隔を予め定められた設定範囲の最小値に設定する。受信モード情報１０９が適応切替モードを示している場合は、時間間隔を高速切替モードに比べて大きい値を設定する。また、受信モード情報１０９が低速切替モードを示している場合は、時間間隔を予め定められた設定範囲の最大値に設定する。
【００３５】
以上のように構成することにより、本発明の実施例４では、高速切替モードを選択することにより、受信状態の変化に追随して受信階層を切り替えることが可能となり、低速切替モードを選択することにより、受信状態の変化に追随した階層切り替えは行われないが、受信階層の頻繁な切り替えを低減することが可能となる。更に、適応切替モードを選択することにより、弱階層の映像信号と強階層の映像信号とを受信状態の変動に応じて適応的に切り替えて受信することが可能となる。
【００３６】
なお、ここでは、受信モード情報１０９の選択枠を高速切替モード、低速切替モード及び適応切替モードの３状態を設定し、それぞれの切替モード毎に異なる設定値を設ける場合について説明したが、これのみに限るものではなく、設定する受信モード情報１０９を２つの状態としても良いし、また４つ以上の状態としても良い。
【実施例５】
【００３７】
図７は、本発明の実施例５の車載用デジタル放送受信装置の制御部１０の一具体例を示すブロック図であって、１１０は速度検出部であり、前出図面に対応する部分には同一符号をつけて重複する説明を省略する。図７において、この実施例５は、図１に示す構成に速度検出部１１０が付加されたものである。速度検出部１１０は、スピードメータ値やＧＰＳで測定した自車座標位置から算出される情報、車載カメラによる自車周囲状況から算出される情報などを基に、自車の速度情報１１１を閾値設定部１０２又は切替判定部１０３のうち少なくとも１箇所以上に供給する。
【００３８】
閾値設定部１０２では、供給された速度情報１１１に応じて閾値１０４が設定される。速度情報１１１が停止状態を示している場合は、閾値１０４を予め定められた設定範囲の最小値に設定する。速度情報１１１が低速走行状態を示している場合は、閾値１０４を停止状態にあるときに比べて大きい値に設定する。また、速度情報１１１が高速走行状態を示している場合は、閾値１０４を予め定められた設定範囲の最大値に設定する。また、上記閾値１０４の設定を図４に示す実施例２に適用し、速度情報１１１に応じて、第１閾値１０６と第２閾値１０７が設定されるようにしても良い。
【００３９】
切替判定部１０３では、供給された速度情報１１１に応じて、切替判定に用いる信号品質値９の個数Ｍ，ｍ，Ｎ，ｎを設定する。速度情報１１１が停止状態を示している場合は、Ｍ或いはｍの個数を予め定められた設定範囲の最大値、Ｎ或いはｎを予め定められた設定範囲の最小値に設定する。また、速度情報１１１が低速走行状態を示している場合は、Ｍ或いはｍの個数を停止状態にあるときに比べて小さい値、Ｎ或いはｎを停止状態にあるときに比べて大きい値に設定する。また、速度情報１１１が高速走行状態を示している場合は、Ｍ或いはｍの個数を予め定められた設定範囲の最小値、Ｎ或いはｎを予め定められた設定範囲の最大値に設定する。
【００４０】
以上のように構成することにより、本発明の実施例５では、受信状態の変動が小さい移動体の停止状態の場合は、弱階層の映像信号をできる限り長く安定して継続受信させることが可能となる。また、受信状態の変動が大きい移動体の走行中では、弱階層の映像信号を受信中に受信状態が劣化した場合には、弱階層の映像信号にブロックノイズなどの信号劣化が生じる前に強階層の映像信号に切り替えて受信することが可能となる。また、弱階層の映像信号を十分に受信可能な状態に回復するまで、強階層の映像信号を継続受信させることが可能である。
【００４１】
なお、ここでは、移動体の速度情報１１１を停止状態、低速走行状態及び高速走行状態の３状態を設定し、それぞれの走行状態毎に異なる設定値を設ける場合について説明したが、これのみに限るものではなく、設定する速度情報１１１を２つの状態としても良いし、また４つ以上の状態としても良い。
【実施例６】
【００４２】
図８は、本発明の実施例６の車載用デジタル放送受信装置の制御部１０の一具体例を示すブロック図であって、１１２は位置検出部であり、前出図面に対応する部分には同一符号をつけて重複する説明を省略する。図８において、この実施例６は、図１に示す構成に位置検出部１１２が付加されたものである。位置検出部１１２は、ＧＰＳで測定した自車座標位置、車載カメラによる自車周囲状況から算出される情報などを基に、自車の位置情報１１３を閾値設定部１０２又は切替判定部１０３のうち少なくとも１箇所以上に供給する。
【００４３】
閾値設定部１０２では、供給された位置情報１１３に応じて閾値１０４が設定される。位置情報１１３が、例えば都市部の高層ビル街など走行中の受信状態が激しく変動する場所であることを示している場合（以下、位置Ａという）は、閾値１０４を予め定められた設定範囲の最大値に設定する。また、位置情報１１３が、例えば建物が少なく見通しの良い場所など走行中の受信状態の変動が少ない場所であることを示している場合（以下、位置Ｂという）は、閾値１０４を予め定められた設定範囲の最小値に設定する。また、上記閾値１０４の設定を図４に示す実施例２に適用し、位置情報１１３に応じて、第１閾値１０６と第２閾値１０７が設定されるようにしても良い。
【００４４】
切替判定部１０３では、供給された位置情報１１３に応じて、切替判定に用いる信号品質値９の個数Ｍ，ｍ，Ｎ，ｎを設定する。位置情報１１３が位置Ａを示している場合は、Ｍ或いはｍの個数を予め定められた設定範囲の最小値、Ｎ或いはｎを予め定められた設定範囲の最大値に設定する。また、位置情報１１３が位置Ｂを示している場合は、Ｍ或いはｍの個数を予め定められた設定範囲の最大値、Ｎ或いはｎを予め定められた設定範囲の最小値に設定する。
【００４５】
以上のように構成することにより、本発明の実施例６では、受信状態の変動が小さい場所を走行中は、弱階層の映像信号をできる限り長く安定して継続受信させることが可能となる。また、受信状態の変動が大きい場所を走行中は、弱階層の映像信号を受信中に受信状態が劣化した場合、弱階層の映像信号にブロックノイズなどの信号劣化が生じる前に強階層の映像信号に切り替えて受信することが可能となる。また、受信状態が上昇していく場合には、弱階層の映像信号が十分に受信可能な状態に回復するまで、強階層の映像信号を継続受信させることが可能である。
【００４６】
なお、ここでは、位置情報１１３は受信状態が激しく変動する場所と変動が少ない場所との２状態を設定し、それぞれの位置状態毎に異なる設定値を設ける場合について説明したが、これのみに限るものではなく、設定する位置情報１１３を３つ以上の状態としても良い。なお、実施例１乃至６において、受信階層の切り替えを行う信号は映像信号に限られたものではなく、音声信号についても同様の受信階層の切り替えを適用しても良い。
【図面の簡単な説明】
【００４７】
【図１】本発明の実施例１のデジタル放送受信装置のブロック図である。
【図２】図１における制御部の一具体例を示すブロック図である。
【図３】図２に示す制御部の動作例を示すタイミング図である。
【図４】本発明の実施例２のデジタル放送受信装置の制御部の動作例を示すタイミング図である。
【図５】本発明の実施例３のデジタル放送受信装置示すブロック図である。
【図６】本発明の実施例４のデジタル放送受信装置を示すブロック図である。
【図７】本発明の実施例５のデジタル放送受信装置を示すブロック図である。
【図８】本発明の実施例６のデジタル放送受信装置を示すブロック図である。
【符号の説明】
【００４８】
１    アンテナ部
２    選局部
３    伝送路復調部
４    多重分離部
５    弱階層デコード部
６    強階層デコード部
７    切替部
８    映像表示部
９    信号品質値
１０    制御部
１１    切替信号
１０１    比較部
１０２    閾値設定部
１０３    切替判定部
１０４    閾値
１０５    比較信号
１０６    第１閾値
１０７    第２閾値
１０８    受信モード選択部
１０９    受信モード情報
１１０    速度検出部
１１１    速度情報
１１２    位置検出部
１１３    位置情報
２００    信号品質値の時間変化と閾値
２０１    切替タイミング
３００    信号品質値の時間変化と第１閾値及び第２閾値
３０１    切替タイミング
【図１】
2008042229.tif 000003
【図２】
2008042229.tif 000004
【図３】
2008042229.tif 000005
【図４】
2008042229.tif 000006
【図５】
2008042229.tif 000007
【図６】
2008042229.tif 000008
【図７】
2008042229.tif 000009
【図８】
2008042229.tif 000010